(57)【要約】【課題】  収納されたカードの表裏面に不要な圧力を加えることなく複数枚のカードを収納でき、かつ、容易にカードを出し入れすることができるカードケース２０を提供する。【解決手段】  カードの収納部を有するケース本体と、このケース本体内に設けられた弾性部材４と、を備え、前記収納部は、複数枚のカードの表裏面を重ねて収納可能であり、前記弾性部材４は、前記収納部に収納されたカードの側面を押圧し、収納部内にカードを保持することを特徴とする。【選択図】  図１
2005071342.tif 000002
【特許請求の範囲】
【請求項１】
カードの収納部を有するケース本体と、
このケース本体内に設けられた弾性部材と、を備え、
前記収納部は、複数枚のカードの表裏面を重ねて収納可能であり、
前記弾性部材は、前記収納部に収納されたカードの側面を押圧し、収納部内にカードを保持することを特徴とするカードケース。
【請求項２】
前記弾性部材は、ゴム、シリコン等の弾性体であり、前記ケース本体と異なる材質であることを特徴とする請求項１に記載のカードケース。
【請求項３】
前記弾性部材は、中心を軸として回転自在な円柱形であり、その円周面が前記カードの側面を押圧し、カードの出し入れに伴い前記弾性部材は回転可能であることを特徴とする請求項１又は請求項２に記載のカードケース。
【請求項４】
前記弾性部材のカードを押圧する押圧面は、カードの厚み方向における中央部が両端部と比較してカードケース外側に向かって窪んでいることを特徴とする請求項１から請求項３のいずれかに記載のカードケース。
【請求項５】
前記ケース本体は、前記カードの一辺の側面に対向する開口部と、他辺の側面と対向する側壁部と、カードの表裏面と対向する表壁面及び裏壁面を有しており、前記表壁面又は裏壁面のいずれか一方の一角には、収納部に収納されたカードに指先等で接触し、カードを収納部内から外へ押し出すための穴部が設けられており、前記穴部に隣接する側壁部には、カードケースの内側に向かってその厚みが小さくなる傾斜面が形成されている請求項１から請求項４のいずれかに記載のカードケース。
【請求項６】
前記弾性部材は、前記開口部両端からそれぞれ延出する側壁部のうち少なくとも一方の側壁部に設けられており、この弾性部材が設けられた側壁部と対向する側壁部には、前記穴部が隣接していることを特徴とする請求項５に記載のカードケース。
【発明の詳細な説明】
【技術分野】
【０００１】
本発明は、プラスチック製のカードを収納するカードケースに関し、特に、ＩＣモジュールを備えたカードの収納に好適に用いることが出来る技術に関するものである。
【背景技術】
【０００２】
近年、企業の機密保持に対する関心の高まり等により、セキュリティに対して種々取り組まれるようになってきた。その一環として、例えば、会社に出入りする際に、社員証等の提示を義務づけるとともに、研究所等一定の場所には入場を特に厳しく制限し、磁気記録カードや、接触又は非接触式のＩＣカードにより認証を行う等の措置が取られていた。従って、場合によっては、社員証のみならず複数枚のＩＣカードを所持しなければならないこともあった。
【０００３】
従来、このようなＩＣカード等を収納するカードケースとしては、例えば、図７、図８に示すようなものが用いられていた。このカードケース１０１は、同一サイズのプラスチックフィルム１０３と、前記プラスチックフィルム１０３より１辺だけサイズが短い透明プラスチックフィルム１０２が端の部分でシールされている。前記プラスチックフィルム１０３の間の隙間には、非接触ＩＣカード１０６が封入してあり、透明プラスチックフィルム１０２とこれに接するプラスチックフィルム１０３の間の隙間には、ＩＣモジュール１０５を組み込んだカード（社員証）１０４が収納されている。
【０００４】
このカードケース１０１は、一定の大きさのプラスチックフィルム１０３と、これと同じ長さでこれより５ｍｍから２０ｍｍ幅が狭い透明プラスチックフィルム１０２を用意して、下からプラスチックフィルム１０３、非接触式のＩＣカード１０６、プラスチックフィルム１０３、透明プラスチックフィルム１０２の順に重ね、シールしている。従って、非接触式ＩＣカード１０６はカードケース内に封入されており、カード（社員証）１０４のみ出し入れ可能に収納されている。
【０００５】
このカードケース１０１によれば、収納したカードを傷や折り曲げ等の被害から保護することが出来るとともに、収納したカードを外から容易に判別でき、社員証や通行証等をカードケース１０１に入れたままで使用でき、更にゲートを通過するときにカードケース１０１を送受信器にかざすだけで通過することが可能であった。
【０００６】
しかし、前記カードケース１０１に収納されたカード（社員証）１０４は、プラスチックフィルム１０３と透明プラスチックフィルム１０２との間に狭持されており、カード１０４に組み込まれたＩＣモジュール１０５は常に透明プラスチックフィルム１０２に押圧されている。また、プラスチックフィルム１０３と透明プラスチックフィルム１０２との間に複数枚のカードを収納することも可能であるが、その際には、収納されたカードを透明プラスチックフィルム１０２で更に押圧することとなり、ＩＣモジュール１０５に不要な圧力をかけてしまうことがある。さらに、重なり合ったカード同士が密着することにより、カードが出し入れしにくくなるという問題もあった。一方、前記非接触式ＩＣカード１０６は、両端部がシールされたプラスチックフィルム１０３間に封入されており、プラスチックフィルム１０３から不要な圧力が加わることはないが、端部がシールされているため、カードの出し入れが不可能であった。
【特許文献１】特開２００１−１１８０３９号公報
【発明の開示】
【発明が解決しようとする課題】
【０００７】
本発明は、このような問題を鑑みて成されたものであり、収納されたカードの表裏面に不要な圧力を加えることなく複数枚のカードを収納でき、かつ、容易にカードを出し入れすることができるカードケースを提供することを技術的課題とする。
【課題を解決するための手段】
【０００８】
本発明に係るカードケースは、前述の技術的課題を解決するために以下のように構成されている。本発明は、カードの収納部を有するケース本体と、このケース本体内に設けられた弾性部材と、を備え、前記収納部は、複数枚のカードの表裏面を重ねて収納可能であり、前記弾性部材は、前記収納部に収納されたカードの側面を押圧し、収納部内にカードを保持することを特徴とするカードケースである。前記弾性部材がカードの側面を押圧することによってカードをケース内に保持するため、カードの表裏面に必要以上の圧力を加えることなく、カードを収納することができる。また、弾性部材の押圧力によって保持するため、カードの収納部がカードの外形より多少大きく形成され、カードと収納部との間に隙間を有していても、弾性部材によりこの隙間を吸収し、カードを収納部に保持することが可能となる。
【０００９】
特に、近年多用されているＩＣカードは、表面にＩＣモジュール等が設けられた接触式のＩＣカードのみならず、非接触式のＩＣカードにおいてもカードの表裏面に沿ってＩＣモジュールが内蔵されている。従って、表裏面に不要な圧力を加えることは望ましくなく、本発明のカードケースを好適に用いることができる。また、本発明に係るカードケースは、弾性部材によってカードの側面を押圧して保持するため、複数毎のカードであっても均等に押圧し、カードケース内に保持することが可能である。
【００１０】
さらに、前記弾性部材によって複数枚のカードを押圧して保持するため、収納された複数枚のカードそれぞれに均等な力を掛けて保持することが可能であり、カードの破損、痛み等を防ぐことができる。また、押圧部材は、重ね合わされたカード同士を密着させる方向ではなく、カード側面から押圧するため、複数枚のカードのうち一部のカードを抜き出す際にも容易にカードケースから抜き出すことができる。尚、前記弾性部材は、複数枚のカードをその側面を押圧して保持するため、収納可能な枚数分のカードの側面を押圧できる厚みを備えているものであれば良く、その設置個数は制限されない。また、カードの保持力を高めたい場合には、設置個数を増やしたり、高い付勢力を有する弾性部材を設けることによって調整することができる。
【００１１】
また、本発明に係るカードケースの弾性部材は、ゴム、シリコン等の弾性体であり、前記ケース本体と異なる材質であることが望ましい。通常、ケース本体は、カードを保持し、そのカードを保護する観点から一定の硬さを有する材質が用いられる。しかし、前記弾性部材は、その付勢力によってカードを保持するため硬い材質は適してない。従って、ケース本体と弾性部材は、別の材質であることが望ましい。尚、本発明に用いる弾性部材は、一定の付勢力を有する弾性体であれば良く、ゴム、シリコンの他、低密度ポリエチレン等種々のものを用いることができる。
【００１２】
さらに、前記弾性部材は、中心を軸として回転自在な円柱形であり、その円周面が前記カードの側面を押圧しており、カードの出し入れに伴い前記弾性部材は回転可能であることが望ましい。本発明に係るカードケースは、弾性部材によってカードを押圧しカードを保持するため、保持したカードを取り出す際には、カードと弾性部材との間に多少の摩擦が生じる。この摩擦が大きい場合や、繰り返しカードの出し入れを行う場合には、カードの側面及び弾性部材の押圧面が傷ついてしまうおそれがある。特に、前記非接触式のＩＣカードは、カードの表裏面に沿って内蔵されたＩＣモジュールと併せてカードの側面に沿って内蔵アンテナが設けられており、カードの側面に必要以上の圧力を加えることは望ま
しくない。しかし、前記構成を採用することにより、カードの側面及び弾性部材の押圧面に負荷をかけることなくカードを保持することができる。また、弾性部材が回転可能であることにより、弾性部材の一部分のみがカードと接触するのではなく、弾性部材の円周面全体がカードと接触するため、弾性部材の一部分のみ摩耗することがなく、弾性部材の耐久性を向上させることができる。
【００１３】
加えて、前記弾性部材のカードを押圧する押圧面は、カードケースの厚み方向における中央部が両端部と比較してカードケースの外側に向かって窪んでいることが望ましい。本発明に係るカードケースの弾性部材及び収納部は、複数枚のカードを保持することができる厚みを有している。カードケースにカードを挿入する際、一枚目のカードをカードケースの表裏面と略平行に挿入すれば、一枚目のカードを収納した後、収納部内には他のカードが挿入できる空間が残される。しかし、一枚目のカードをカードケースの表裏面と平行に挿入しない（斜めに挿入する）と、他のカードを挿入するスペースが確保できないことがある。しかし、弾性部材の押圧面を前記構成にすることにより、挿入したカードは、カードケースの厚み方向における中央部へガイドされる。そのため、収納部に対してカードが斜めに挿入されることを防ぐことができ、他のカードを収納するスペースを確保することができる。
【００１４】
特に、ＩＣカードは、前述のようにカードの表裏面に不要な圧力を加えることは好ましくないため、前記構成により収納部の中央部にカードを収納し、カードの表裏面を外力から保護することが望ましい。尚、弾性部材の形状が前記円柱形である場合には、円周面がカードの押圧面となるため、中央部を小径にして形成すれば良い。
【００１５】
また、前記ケース本体は、カードの一辺の側面に対向する開口部と、他辺の側面と対向する側壁部と、カードの表裏面と対向する表壁面及び裏壁面を有しており、前記表壁面又は裏壁面のいずれか一方の一角には、収納部に収納されたカードに指先等で接触し収納部内から外へカードを押し出すための穴部が設けられており、前記穴部に隣接する側壁部には、カードケースの内側に向かってその厚みが小さくなる傾斜面が形成されていることが望ましい。
【００１６】
前記ケース本体が、前記側壁部と、カードの表裏面と対向する表壁面及び裏壁面と、を有していることにより、カードの略全体を覆いつつ、前記開口部から任意のカードを出し入れすることができ、収納されたカードを傷や折り曲げによる破損から保護することができる。前記ケース本体を透明な材質とすることにより、カードケースに収納した状態で外から内部を容易に判断することが可能となる。例えば、透明プラスチックを好適に用いることができる。
【００１７】
また、前記穴部を設けることにより、収納されたカードに指等で接触して容易に出し入れすることが可能となる。さらに、前記傾斜面を設けることにより、この傾斜部に沿って指等を挿入できるとともに、穴部から収納されたカードの側面を直接接触することができるため、ケースから出したい任意のカードを的確に押し出すことができる。特に、複数枚のカードのうち最下端に位置するカードを出す際に、他のカードを押し出すことなく、最下端のカードの側面を直接接触して、押し出すことができ、好適である。
【００１８】
さらに、本発明に係るカードケースは、前記弾性部材が、前記開口部両端からそれぞれ延出する側壁部のうち少なくとも一方の側壁部に設けられており、前記弾性部材が設けられた側壁部と対向する側壁部に前記穴部が隣接していることが望ましい。前記構成により、カードを弾性部材の付勢力に抗して押圧することで、弾性部材の付勢力によるカードの保持状態を容易に解除することができる。
【００１９】
本発明に係るカードケースは、その表面にＩＣモジュールを備えたＩＣカードを収納する場合には、前記穴部とＩＣモジュールがカードの押し出し方向において互いに重なり合わないように、穴部を配置することが望ましい。ＩＣモジュールとは、ＩＣカードに組み込まれたＩＣ（集積回路）を指しており、このＩＣモジュールによってカード自体がプロセッサと同じような働きをし、本人確認機能や利用限度額などの多用なチェック機能を内蔵しているものである。このようにＩＣモジュールは、重要な機能を有しており出来るだけ保護することが望ましく、接触、押圧等は出来る限り避けることが望ましい。
【００２０】
前記穴部の位置をカードの押し出し方向において前記ＩＣモジュールと重ならないようにすることで、穴部からカードに触れてもＩＣモジュールに接触することがないため、ＩＣモジュールを保護することができる。尚、このＩＣモジュールの位置はＪＩＳ規格で定められており、ＩＣモジュールの位置は、カードの高さ方向において上端から約２／３以上である。従って、カードを押し出す方向におけるＩＣモジュールと穴部との重なり合わない位置とは、カードの高さ方向において、カードの下端から約１／３以下である。
【００２１】
また、本発明に係るカードケースは、前記開口部において、表壁面と裏壁面のうちいずれか一方が他方より長く形成されていることが望ましい。前記構成により、カードを収納する際に、長く形成された一方の壁面にカードを当ててカードケース内に収納することができる。すなわち、いずれか一方の壁面がガイドの役割を果たすため、開口部の隙間が狭い場合でも容易に収納部へカードを挿入することができる。
【発明の効果】
【００２２】
以上説明したように本発明に係るカードケースによれば、収納されたカードの表裏面に不要な圧力を加えることなく、複数枚のカードを収納することができる。また、弾性部材は、カードの側面を押圧してカードを保持するため、複数枚のカードの表裏面を重ねて収納しても、弾性部材がカード同士を密着させることがなく、カードを出し入れを容易に行うことが可能である。
【００２３】
さらに、前記弾性部材は、カードの側面から押圧するため、複数重ねられて収納されたカードを各々同一方向に同一の力で狭持することができる。すなわち、多くの枚数を重ねて収納することも可能であり、その枚数は制限されることがない。加えて、弾性部材によりカードを保持するため、カードケースの収納部とカードとの間に多少の隙間がある場合でも、この隙間を吸収してカードを収納することが可能となる。
【発明を実施するための最良の形態】
【００２４】
以下、図面を参照して、本発明の最良の実施形態を詳細に説明する。本実施の形態に係るカードケース２０は、２枚のＩＣカード１０を収納するカードケースである。図１は、カードケース２０の正面図、図２はカードケース２０の右側面図、図３はカードケース２０の左側面図である。このカードケース２０は、透明なプラスチック製の表壁面１及び裏壁面２と、裏壁面２の周縁に突設され、収納されたカードの側面に対向する側壁部となるリブ３と、長手方向のリブ３のうち一方に設けられ、収納されたカード１０の側面を表面に沿った方向に付勢する弾性部材４と、前記表壁面１の外周縁に突設され、表壁面１と裏壁面２とを連結する複数のピン５と、を備えている。前記表壁面１の一角には穴部１ａが形成されており、図１においてカードケースの上端部には、紐等を掛けてカードケース２０を吊すための懸吊穴２０ｂ，２０ｃが形成されている。そして、前記表壁面１と裏壁面２とリブ３に囲まれた空間がカードを収納する収納部となる。
【００２５】
前記リブ３は、カード１０の出入口となる開口部２０ａを形成するケース本体の一辺を除いた三辺に形成されており、このリブ３の厚みが、収納可能なカードの厚みに相当する。すなわち、このリブ３の厚みを調整することにより収納できるカードの枚数を調整する
ことが可能である。表壁面１には、複数のピン５が突設されており、裏壁面１に固定されたリブ３は、ピン５と嵌合する穴が設けられている。ピン５とリブの穴が嵌合することにより、表壁面１、裏壁面２、リブ３とが接合される。また、前記開口部２０ａにおいて、裏壁面２は表壁面１より長く形成されており、カード１０を開口部２０ａから挿入する際のガイドの役割を果たしている。
【００２６】
前記弾性部材４はゴム製であり、収納されたカード１０の側面をカード１０の表裏面に沿ってＹ方向に付勢する。弾性部材４によって付勢されたカード１０は、リブ３と弾性部材４との間に狭持されて、カードケース２０内に保持される。前記弾性部材４は円柱形であり、その中心の穴部４ａに表壁面１及び裏壁面に固定された軸が貫通しており、軸を中心として回転自在である。弾性部材４の円周面がカードの側面を押圧する押圧面であり、その中央部は軸方向の両端部と比較して小径である（図４参照）。すなわち、弾性部材４の外形は、両端部から中央方向に向かって徐々に小径となる鼓（つづみ）状である。収納部に挿入されたカード１０は、収納部の中央部分にガイドされる。特に三枚以上のカードを収納する際は、一枚目のカードを収納すると、他のカードを挿入するスペースが自然に形成され、二枚目のカードを容易に収納することができるため、好適に用いることができる。
【００２７】
尚、本実施の形態では、前記弾性部材４を一つ設けたが、収納するカードの枚数等によってその数を増やしても良いし、高い保持力を得たい場合には、対向するカード側面を付勢する弾性部材を複数設け、弾性部材で狭持して保持する構成としても良い。また、前記弾性部材は、Ｙ方向において後述する穴部１ａと対向する位置に配置することが望ましい。前記位置に弾性部材を配置することにより、収納されたカードを外へ押し出す際に、カードを弾性部材の付勢力に抗して押圧し、弾性部材によるカードの固定を解除させて、カードを押し出すことができる。
【００２８】
前記表壁面１に形成された穴部１ａは、カード１０を出入する際に指で直接カード１０に触れ、押し出すためのものである。この穴部１ａは、指が接触できる大きさであれば良い。本実施の形態では、収納するカード１０の表面にＩＣモジュール１０ａが組み込まれているため、カード１０の押し出し方向であるＸ方向においてＩＣモジュール１０ａに接触しないように、図１でみて表壁面１の下端部に穴部１ａを形成している。
【００２９】
カードケース２０に収納されるカード１０の大きさは、エンボスカードで８５．７２×５４．０３ｍｍ、非エンボスカードで、８５．９０×５４．１８ｍｍである（ＪＩＳ  Ｘ６３０１）。また、ＩＣモジュール１０ａの位置は、カードの上端から１９．２３〜２８．５５ｍｍの位置であり、カードの左端から１０．２５〜１９．８７ｍｍの位置である（ＪＩＳ  Ｘ６３０３）。尚、ＩＣモジュール１０ａは、カードの表面に設けられており、本実施の形態では、カード１０の表面を表壁面１側にして挿入する。従って、前記穴部１ａは、カードケースの下端に設け、ＩＣモジュール１０ａと穴部１ａが重なり合わないように設けられている。
【００３０】
また、本実施の形態では、カード１０の表面をカードケース２０の表壁面１側に位置するようにカード１０を収納するため、カードケース２０の下端部に前記穴部を形成したが、例えば、カードの収納方向を定めない場合には、カードケースに収納されたカードのＩＣモジュールの位置は、上方にも位置するし、下方にも位置するため、カードケースの中央部に穴部１ａを配置してもよい。前記穴部１ａを中央部に配置することで、カードを表面、裏面いずれの面が表壁面側に挿入しても、ＩＣモジュール１０ａと重なり合わないようにすることができる。尚、穴部１ａの位置は、前記カード１０の大きさ、ＩＣモジュール１０ａの位置、及び、前記リブ３の長さ等を考慮し、適宜に設計することが望ましい。
【００３１】
前記穴部と隣接するリブ３には、挿入する指をガイドするための傾斜面３ａが形成されている。図５は、表壁面１の穴部１ａを拡大した斜視図であり、図６は、図５のＡ−Ａ断面図である。前記傾斜面３ａは、カードケースの外側から内側に向けてリブの厚みが小さくなるように傾斜しており、この傾斜面３ａに沿って指を挿入することにより、最下端に位置するカードであっても、そのカード１０のみ押し出すことができる。さらに、傾斜面３ａが形成されていることにより、ケース本体が透明な材質でない場合であっても収納されたカードの側面を視認できる。
【００３２】
加えて、カードケース２０の側部には、３つの懸吊穴２０ｂ，２０ｃが形成されている。この懸吊穴２０ｃは、紐等を掛けてカードケース２０を吊すためのものであり、中心部に位置する長円形の懸吊穴２０ｂは、その中心がカードケース２０の中心から少し開口部２０ａ側にずれている。この長円形の懸吊穴２０ｂの中心がカードケース２０の中心からずれていることにより、カードケース２０を吊した時に開口部２０ａが上側に傾き、カード１０が抜け落ちるのを防ぐことができる。
【００３３】
前記長円形の懸吊穴２０ｂの両側部には、一対の楕円形の懸吊穴２０ｃが形成されており、この懸吊穴２０ｃ間の中心もカードケース２０の中心とずれており、開口部２０ａ側に位置している。この一対の懸吊穴２０ｃは、夫々の穴部に紐等を通してカードケースを吊るすためのものであり、この懸吊穴２０ｃの上側に位置する内面は外側に拡開しており、紐等を掛けた際に２本の紐が内側に集まるように形成されている。
【００３４】
このように構成されたカードケース２０は、収納されたカード１０の側面から表裏面に沿った方向に付勢し、複数のカード１０の側面を押圧し、カードケース内に保持することができる。従って、カード１０の表面に組み込まれたＩＣモジュール１０ａを傷つけることなく、カード１０を収納することができる。更に、カードケース２０の表壁面１には前記穴部１ａが形成されているため、ＩＣモジュール１０ａを傷つけることなく、カード１０の出し入れを容易に行うことができる。
【図面の簡単な説明】
【００３５】
【図１】本実施の形態に係るカードケース２０の正面図である。
【図２】本実施の形態に係るカードケース２０の左側面図である。
【図３】本実施の形態に係るカードケース２０の右側面図である。
【図４】弾性部材４の斜視図である。
【図５】表壁面１の穴部１ａの斜視図である。
【図６】図５のＡ−Ａ断面図である。
【図７】従来のカードケース１０１の正面図である。
【図８】従来のカードケース１０１の断面図である。
【符号の説明】
【００３６】
１  表壁面
１ａ  穴部
２  裏壁面
３  リブ
３ａ  傾斜面
４  弾性部材
５  ピン
１０  カード
２０  カードケース
２０ａ  開口部
２０ｂ，２０ｃ  懸吊穴
１０１  カードケース
１０２  透明プラスチックフィルム
１０３  プラスチックフィルム
１０４  カード
１０５  ＩＣモジュール
１０６  非接触式ＩＣカード
【図１】
2005071342.tif 000003
【図２】
2005071342.tif 000004
【図３】
2005071342.tif 000005
【図４】
2005071342.tif 000006
【図５】
2005071342.tif 000007
【図６】
2005071342.tif 000008
【図７】
2005071342.tif 000009
【図８】
2005071342.tif 000010